(57)【特許請求の範囲】
【請求項１】
楽曲構造を特徴付ける特徴区間の展開情報を含む複数の楽曲データの中から、それぞれの楽曲データに応じた照明制御データを生成するのに適した楽曲データを選択する照明制御データ生成用楽曲選択装置であって、
前記複数の楽曲データのそれぞれの特徴区間の展開情報を取得する展開情報取得部と、
前記展開情報取得部により取得された特徴区間の展開情報に基づいて、特徴区間の種類を判定する特徴区間種類判定部と、
前記特徴区間種類判定部により判定された特徴区間の種類に基づいて、照明制御データを生成する楽曲データを選択する楽曲データ選択部と、
を備えていることを特徴とする照明制御データ生成用楽曲選択装置。
【請求項２】
請求項１に記載の照明制御データ生成用楽曲選択装置において、
前記複数の楽曲データには、それぞれの楽曲データを関連付ける楽曲付加情報が付され、
前記複数の楽曲データのそれぞれの楽曲付加情報を取得する楽曲付加情報取得部と、
前記楽曲付加情報取得部により取得された楽曲付加情報に基づいて、前記楽曲データ選択部により選択された楽曲データに関連する楽曲データを、他の楽曲データの中から探索する楽曲データ探索部と、
前記楽曲データ探索部により探索された楽曲データを構成する特徴区間と、前記楽曲データ選択部により選択された楽曲データを構成する特徴区間とを比較し、相互に共通する特徴区間を抽出する特徴区間抽出部と、
を備えていることを特徴とする照明制御データ生成用楽曲選択装置。
【請求項３】
請求項２に記載の照明制御データ生成用楽曲選択装置において、
前記特徴区間種類判定部により判定された特徴区間の種類と、前記楽曲データ探索部により探索された前記選択された楽曲データに関連する楽曲データとをマトリクス状に表示させる表示情報を生成する表示情報生成部を備えていることを特徴とする照明制御データ生成用楽曲選択装置。
【請求項４】
請求項１から請求項３のいずれか一項に記載の照明制御データ生成用楽曲選択装置において、
前記特徴区間の種類は、イントロ区間、Ａメロ区間、サビ区間、Ｃメロ区間、およびアウトロ区間の少なくともいずれかを含んでいることを特徴とする照明制御データ生成用楽曲選択装置。
【請求項５】
請求項１から請求項３のいずれか一項に記載の照明制御データ生成用楽曲選択装置において、
前記特徴区間の種類は、イントロ区間、アップ区間、ダウン区間、フック区間、ブレイク区間、およびアウトロ区間の少なくともいずれかを含んでいることを特徴とする照明制御データ生成用楽曲選択装置。
【請求項６】
楽曲構造を特徴付ける特徴区間の展開情報を含む複数の楽曲データの中から、それぞれの楽曲データに応じた照明制御データを生成するのに適した楽曲データを選択する照明制御データ生成用楽曲選択方法であって、
前記複数の楽曲データのそれぞれの特徴区間の展開情報を取得する手順と、
取得された特徴区間の展開情報に基づいて、特徴区間の種類を判定する手順と、
判定された特徴区間の種類に基づいて、照明制御データを生成する楽曲データを選択する手順と、
を実施することを特徴とする照明制御データ生成用楽曲選択方法。
【請求項７】
コンピュータを、請求項１から請求項５のいずれか一項の照明制御データ生成用楽曲選択装置として機能させることを特徴とする照明制御データ生成用楽曲選択プログラム。
【発明の詳細な説明】
【技術分野】
【０００１】
本発明は、照明制御データ生成用楽曲選択装置、照明制御データ生成用楽曲選択方法、および照明制御データ生成用楽曲選択プログラムに関する。
【背景技術】
【０００２】
コンサートやクラブシーンにおいて、音楽に対応した照明または楽曲に同期して照明を変化させることは、演出効果上重要である。
楽曲に対応した照明を用いた緻密な演出効果を得るためには、楽曲を理解した専属の照明スタッフが操作することが望ましい。しかし、小規模なコンサートやクラブ、イベント等では、費用の都合などから、専属の照明スタッフを常駐させることは困難である。【０００３】
これに対して、従来楽曲に対応した照明操作の自動化が提案されている。たとえば、特許文献１に記載の技術は、楽曲に対応した照明内容に関する照明制御データを予め作成しておき、楽曲の演奏時に楽曲と同期して、照明制御データ基づき照明を制御することにより、楽曲に対応した所望の照明演出効果を実現している。
照明制御データの作成にあたっては、演奏対象となる楽曲データに対して、予め楽曲構造の解析を行い、楽曲構造を特徴づける特徴区間（例えば、イントロ区間、Ａメロ区間、Ｂメロ区間、サビ区間、アウトロ区間、アップ区間、ダウン区間、ブレイク区間、楽曲ジャンル、調性など）を割り付け、各特徴区間のイメージに適した照明パターンを指定して、照明制御の設定を行う。
【先行技術文献】
【特許文献】
【０００４】
【特許文献１】特許第３７４３０７９号公報
【発明の概要】
【発明が解決しようとする課題】
【０００５】
しかしながら、前記特許文献１に記載の技術では、演奏する楽曲毎に照明制御データを生成しなければならず、コンサート中に複数の楽曲を演奏する場合には、それぞれの楽曲データに応じた照明制御データを生成しなければならないという点で、依然として煩雑さが残る。【０００６】
本発明の目的は、複数の楽曲データに応じて照明制御データを生成するに際し、効率よく照明制御データを生成することのできる照明制御データ生成用楽曲選択装置、照明制御データ生成用楽曲選択方法、および照明制御データ生成用楽曲選択プログラムを提供することにある。
【課題を解決するための手段】
【０００７】
本発明の照明制御データ生成用楽曲選択装置は、
楽曲構造を特徴付ける特徴区間の展開情報を含む複数の楽曲データの中から、それぞれの楽曲データに応じた照明制御データを生成するのに適した楽曲データを選択する照明制御データ生成用楽曲選択装置であって、
前記複数の楽曲データのそれぞれの特徴区間の展開情報を取得する展開情報取得部と、
前記展開情報取得部により取得された特徴区間の展開情報に基づいて、特徴区間の種類を判定する特徴区間種類判定部と、
前記特徴区間種類判定部により判定された特徴区間の種類に基づいて、照明制御データを生成する楽曲データを選択する楽曲データ選択部と、
を備えていることを特徴とする。【０００８】
本発明の照明制御データ生成用楽曲選択方法は、
楽曲構造を特徴付ける特徴区間の展開情報を含む複数の楽曲データの中から、それぞれの楽曲データに応じた照明制御データを生成するのに適した楽曲データを選択する照明制御データ生成用楽曲選択方法であって、
前記複数の楽曲データのそれぞれの特徴区間の展開情報を取得する手順と、
取得された特徴区間の展開情報に基づいて、特徴区間の種類を判定する手順と、
判定された特徴区間の種類に基づいて、照明制御データを生成する楽曲データを選択する手順と、
を実施することを特徴とする。【０００９】
本発明の照明制御データ生成用楽曲選択プログラムは、
コンピュータを、前述した照明制御データ生成用楽曲選択装置として機能させることを特徴とする。
【図面の簡単な説明】
【００１０】
【図１】本発明の実施形態に係る音響制御システムおよび照明システムの構成を表すブロック図。
【図２】前記実施形態における音響制御システムおよび照明システムの構成を表すブロック図。
【図３】前記実施形態における展開情報／楽曲付加情報テーブルの構成を表す模式図。
【図４】前記実施形態における展開情報／楽曲付加情報テーブルの構成を表す模式図。
【図５】前記実施形態における展開情報／楽曲付加情報テーブルの構成を表す模式図。
【図６】前記実施形態における展開情報／楽曲付加情報テーブルの構成を表す模式図。
【図７】前記実施形態における作用を説明するためのフローチャート。
【発明を実施するための形態】
【００１１】
［１］音響制御システム１および照明システム１０の全体構成
図１には、本発明の実施形態に係る音響制御システム１および照明システム１０が示されており、音響制御システム１は、２台のデジタルプレーヤー２と、ミキサー３と、コンピュータ４と、スピーカー５とを備える。
デジタルプレーヤー２は、ジョグダイヤル２Ａと、図示しない複数の操作ボタンとを備え、デジタルプレーヤー２の操作者は、ジョグダイヤル２Ａや、操作ボタンを操作することにより、操作に応じた音響制御情報を出力することができる。音響制御情報は、双方向通信可能なＵＳＢ（Universal Serial Bus）規格に基づくケーブル６を介してコンピュータ４に出力される。
【００１２】
ミキサー３は、操作スイッチ３Ａと、音量調整レバー３Ｂと、左右切替レバー３Ｃとを備え、これらのスイッチ３Ａ、レバー３Ｂ、３Ｃを操作することにより、音響制御情報を出力することができる。音響制御情報は、ＵＳＢ規格に準拠したケーブル７を介してコンピュータ４に出力される。このケーブル７についても、他の規格に準拠したものでもよく、有線、無線も問わない。また、ミキサー３には、コンピュータ４で処理された楽曲情報が入力され、入力されたデジタル信号からなる楽曲情報は、アナログ信号に変換され、アナログケーブル８を介して、スピーカー５から音声出力される。
また、デジタルプレーヤー２およびミキサー３は、通信ケーブル９を介して互いに接続され、コンピュータ４を使わなくとも、デジタルプレーヤー２を操作して生成された音響制御情報を、直接ミキサー３に出力して、ＤＪパフォーマンスを行うこともできる。
なお、本実施形態では、デジタルプレーヤー２およびミキサー３は、別体で構成していたが、これに限らず、デジタルプレーヤーおよびミキサーが一体型のＤＪコントローラに本発明を適用してもよい。
【００１３】
照明システム１０は、音響制御システム１のコンピュータ４と、通信ケーブル１１を介して接続されるコンピュータ１２と、コンピュータ１２によって制御される照明装置１３とを備える。なお、ケーブル６、７、９、１１は、それぞれの規格に準拠したものに限定される必要はなく、他の規格に準拠したものであってもよく、さらには、有線による接続だけでなく、無線ＬＡＮ（Local Area Network）等で無線通信接続してもよい。
照明装置１３は、ライブスペース内やイベントスペース内の照明を行うものであり、ライブ設備として多用される各種の照明器具１３Ａを備えている。
照明器具１３Ａは、舞台照明に多用される、例えばパーライト、ストロボライト、ムービングヘッドなどである。これらの照明器具１３Ａにおいては、それぞれ投光の断続、明るさのほか、器具によって照射方向、動作速度などのパラメータを指定することができる。
本実施形態では、コンピュータ４とコンピュータ１２は、別体としているが、同一のコンピュータであってもよい。
【００１４】
これらのパラメータを制御するために、照明装置１３の照明器具１３Ａは、それぞれＤＭＸ５１２規格に準拠するとともに、同規格に基づいて互いに接続され、同規格に準拠した照明制御信号１３Ｂを送信することで、各照明器具１３Ａに所期の照明を実行させることができる。
なお、ＤＭＸ５１２規格は舞台照明分野で一般的な規格であるが、コンピュータ１２および照明装置１３の接続は、同規格によるものに限らず、他の規格に基づくものであってもよい。
【００１５】
［２］音響制御システム１および照明システム１０の機能ブロック構成
図２には、本実施形態に係る音響制御システム１および照明システム１０の機能ブロック図が示されている。
音響制御システム１のコンピュータ４は、演算処理装置１４および記憶装置１５を備える。記憶装置１５内には、複数の楽曲１…楽曲Ｎまでの楽曲データが記憶されている。演算処理装置１４は、演算処理装置１４上で実行されるコンピュータプログラムとしての楽曲構造解析部１６、および展開情報出力部１７を備える。
【００１６】
楽曲構造解析部１６は、記憶装置１５内の複数の楽曲１…楽曲Ｎに、イントロ区間、Ａメロ区間、Ｂメロ区間、サビ区間、アウトロ区間等の特徴区間を割り付け、それぞれの楽曲１…楽曲Ｎについての展開情報を生成する。
なお、特徴区間の切り分けはこの切り分け方でなくともよく、盛り上がりに向けたアップ区間、楽曲中で一番盛り上がるフック区間、盛り上がりを押さえたダウン区間、フック後のブレイク区間という切り分けを行なってもよい。
【００１７】
楽曲構造解析部１６による楽曲構造の解析は、種々の方法を採用することができ、たとえば、楽曲１…楽曲Ｎのそれぞれの楽曲データを小節毎にＦＦＴ（Fast Fourier Transform）を行い、小節単位で音の数をカウントして、特徴区間の展開が変化する展開ポイントを設定し、音の数の大小に基づいて、展開ポイント間に特徴区間を割り付ける方法を採用することができる。また、他の方法としては、楽曲データ中のメロディ等の類似性に基づいて、特徴区間を割り付ける方法も採用することができる。解析結果は、展開情報出力部１７に出力される。
展開情報出力部１７は、楽曲構造解析部１６で生成された複数の楽曲１…楽曲Ｎのそれぞれの展開情報を、照明システム１０を構成するコンピュータ１２に出力する。
【００１８】
照明システム１０のコンピュータ１２は、演算処理装置１８上で実行される、展開情報取得部１９、特徴区間種類判定部２０、楽曲付加情報取得部２１、展開情報／付加情報テーブル２２、楽曲データ選択部２３、楽曲データ探索部２４、特徴区間抽出部２５、表示情報生成部２６、照明制御データ生成部２７、および照明制御部２８を備える。
これらのうち、展開情報取得部１９、特徴区間種類判定部２０、楽曲付加情報取得部２１、展開情報／付加情報テーブル２２、楽曲データ選択部２３、楽曲データ探索部２４、特徴区間抽出部２５、および表示情報生成部２６が、本発明にいう照明制御データ生成用楽曲選択装置として機能する。なお、展開情報取得部１９、特徴区間種類判定部２０、楽曲付加情報取得部２１、展開情報／付加情報テーブル２２、楽曲データ選択部２３、楽曲データ探索部２４、特徴区間抽出部２５、および表示情報生成部２６は、コンピュータ１２で読み取り可能な照明制御データ生成用楽曲選択プログラムとして構成される。
【００１９】
展開情報取得部１９は、楽曲構造解析部１６で生成された複数の楽曲１…楽曲Ｎのそれぞれの展開情報を取得し、それぞれの楽曲１…楽曲Ｎの展開情報を、予め設定された展開情報／付加情報テーブル２２に書き込む。
具体的には、展開情報取得部１９は、図３に示されるように、それぞれの楽曲１…楽曲Ｎについてのイントロ区間、Ａメロ区間、Ｂメロ区間…アウトロ区間等の特徴区間の有無を判定し、展開情報テーブル／付加情報テーブル２２に書き込む。なお、展開情報／付加情報テーブル２２は、特徴区間と、楽曲ジャンル情報、楽曲調性情報、楽曲抑揚情報等の付加情報とを組み合わせたマトリクス状のテーブルとして構成されている。
【００２０】
特徴区間種類判定部２０は、展開情報取得部１９によって、展開情報／付加情報テーブル２２に書き込まれたそれぞれの楽曲１…楽曲Ｎの特徴区間の種類を判定する。
具体的には、特徴区間種類判定部２０は、それぞれの楽曲１…楽曲Ｎに含まれるイントロ区間、Ａメロ区間、Ｂメロ区間、サビ区間、間奏区間、Ｃメロ区間、アウトロ区間等の特徴区間の種類を判定する。たとえば、図３に示される楽曲２であれば、特徴区間種類判定部２０は、楽曲２がイントロ区間、サビ区間、Ｃメロ区間、およびアウトロ区間という４種類の特徴区間を備えている、と判定する。
【００２１】
楽曲付加情報取得部２１は、記憶装置１５内に記憶されている楽曲１…楽曲Ｎに付加された付加情報を取得し、展開情報／付加情報テーブル２２に取得された楽曲付加情報を書き込む。
具体的には、楽曲付加情報取得部２１は、ＭＰ３データ等の楽曲データのヘッダ等に記録された楽曲ジャンル情報、楽曲調性情報、楽曲抑揚情報等の楽曲１…楽曲Ｎのそれぞれの属性を取得し、図４に示されるように、それぞれの楽曲１…楽曲Ｎが、どのような属性を有するかを書き込む。なお、楽曲付加情報は、楽曲データのヘッダ情報に必ずしも付されている必要はなく、たとえば、楽曲データと、楽曲付加情報をテーブル形式で関連付けたデータベースに記憶されていてもよい。また、楽曲付加情報は、楽曲ジャンル情報、楽曲調性情報、楽曲抑揚情報に限られず、たとえば、４ビート、８ビート、１６ビート等の楽曲ビート情報であってもよい。
【００２２】
楽曲データ選択部２３は、特徴区間種類判定部２０により判定された特徴区間の種類に基づいて、照明制御データを生成するのに適した楽曲を選択する。具体的には、楽曲データ選択部２３は、楽曲１…楽曲Ｎのうち、特徴区間の種類が最も多い楽曲を選択する。たとえば、図５に示される楽曲１から楽曲４を比較すると、楽曲４は、イントロ区間からアウトロ区間までの全ての特徴区間のうち、６種類の特徴区間を備えているので、楽曲データ選択部２３は、楽曲４を選択する。選択結果は、照明制御データ生成部２７に出力される。
また、楽曲データ選択部２３は、最初の楽曲データの選択が終了し、特徴区間抽出部２５による他の楽曲データの特徴区間の抽出が終了したら、次の楽曲データの選択を行う。
【００２３】
楽曲データ探索部２４は、特徴区間種類判定部２０より得られた特徴区間種類、または楽曲付加情報取得部２１により取得された楽曲付加情報に基づいて、楽曲データ選択部２３により選択された楽曲データに関連する楽曲データを、他の楽曲データの中から探索する。具体的には、楽曲データ探索部２４は、図５に示されるように、楽曲データ選択部２３により楽曲４が選択されたら、テクノという楽曲ジャンルで共通する楽曲１から楽曲３の楽曲データを探索する。
【００２４】
特徴区間抽出部２５は、楽曲データ探索部２４により探索された楽曲１から楽曲３の楽曲データの特徴区間と、楽曲データ選択部２３により選択された楽曲４の楽曲データの特徴区間とを比較し、相互に共通する特徴区間を抽出する。
具体的には、特徴区間抽出部２５は、図６に示されるように、選択された楽曲４の楽曲データのイントロ区間、Ａメロ区間、Ｂメロ区間、サビ区間、Ｃメロ区間、およびアウトロ区間と共通する楽曲１から楽曲３の特徴区間を抽出する。
表示情報生成部２６は、図６に示されるような特徴区間の抽出が終了した状況を、マトリクス状のテーブル形式の表示情報として生成し、コンピュータ１２の表示画面上に表示してもよい。
【００２５】
照明制御データ生成部２７は、楽曲データ選択部２３で選択された楽曲４の楽曲データに基づいて、照明制御データを生成する。照明制御データ生成部２７により生成された照明制御データは、照明制御部２８に出力される。
また、照明制御データ生成部２７は、楽曲データ選択部２３で選択された楽曲４の照明制御データが生成されたら、楽曲４の各特徴区間の照明制御データに対して、楽曲１から楽曲３に、共通する特徴区間の照明制御データを割り付け、楽曲４の楽曲データにはない、特徴区間、たとえば楽曲３の間奏区間の照明制御データを生成する。
【００２６】
照明制御データ生成部２７で生成される照明制御データは、照明制御部２８で処理されるＤＭＸコントロールソフトウェア用データとして生成される。なお、本実施形態では、照明制御部２８は、コンピュータ１２内で実行されるＤＭＸコントロールソフトウェアとして構成しているが、コンピュータ１２に接続されたハードウェアコントローラであってもよい。
照明制御部２８は、照明制御データ生成部２７から出力された照明制御データに基づいて、照明装置１３の制御を行うことにより、所望の照明イメージによる演出を特徴区間に応じて変化させ、照明器具１３Ａによる照明演出を行う。
【００２７】
［３］実施形態の作用および効果
次に、照明制御データ生成用楽曲選択方法となる本実施形態の作用を、図７に示されるフローチャートに基づいて説明する。
展開情報取得部１９は、展開情報出力部１７から出力された展開情報を取得し（手順Ｓ１）、展開情報／付加情報テーブル２２に展開情報を書き込む（手順Ｓ２）。
楽曲付加情報取得部２１は、楽曲１…楽曲Ｎに付加された楽曲ジャンル情報、楽曲調性情報、楽曲抑揚情報等の属性を取得し（手順Ｓ３）、展開情報／付加情報テーブル２２に楽曲付加情報を書き込む（手順Ｓ４）。なお、手順Ｓ１から手順Ｓ２と、手順Ｓ３から手順Ｓ４とは並列で同時に処理してもよい。
【００２８】
特徴区間種類判定部２０は、楽曲１…楽曲Ｎの楽曲データのそれぞれの特徴区間の種類を判定し、楽曲データ選択部２３は、判定された特徴区間の種類に基づいて、特徴区間の種類が最も多い楽曲データ、図５であれば楽曲４の楽曲データを選択する（手順Ｓ５）。
楽曲データ探索部２４は、楽曲データ選択部２３で選択された楽曲４の楽曲データの楽曲ジャンル（図５であればテクノ）、と共通する楽曲ジャンルの楽曲１から楽曲３の楽曲データを探索する（手順Ｓ６）。
【００２９】
特徴区間抽出部２５は、探索された楽曲１から楽曲３の楽曲データの特徴区間と、楽曲データ選択部２３により選択された楽曲４の楽曲データの特徴区間とを比較し、相互に共通する特徴区間を抽出する（手順Ｓ７）。
特徴区間の抽出が終了したら、楽曲データ選択部２３は、すべての特徴区間が抽出されていない楽曲データ、図６であれば、間奏区間を有する楽曲３の楽曲データを選択し、楽曲１…楽曲Ｎのすべての特徴区間が抽出されるまで、選択と抽出を繰り返す（手順Ｓ８）。
【００３０】
照明制御データ生成部２７は、楽曲データ選択部２３で選択された楽曲４の楽曲データに対して、各特徴区間に応じた照明演出データを含む照明制御データを生成する（手順Ｓ９）。
次に、照明制御データ生成部２７は、共通する特徴区間に対して、照明演出データを割り付け、楽曲１から楽曲３の照明制御データを生成する（手順Ｓ１０）。
最後に、照明制御データ生成部２７は、楽曲４の楽曲データには含まれていない、楽曲３の楽曲データにおける間奏区間の照明制御データを生成する（手順Ｓ１１）。
以上のようにして、楽曲１…楽曲４の照明制御データがすべて生成されたら、楽曲１…楽曲４に基づいて、ＤＪパフォーマンスを行うと同時に、生成された照明制御データに基づいて、照明演出を行う。
【００３１】
このような本実施形態によれば、以下のような効果がある。
照明制御データ生成用楽曲選択装置が、楽曲データ選択部２３を備えていることにより、最も特徴区間の種類が多く、展開の複雑な楽曲４の楽曲データが選択され、この楽曲データに基づいて、照明制御データを生成することとなる。そして、楽曲データ探索部２４および特徴区間抽出部２５により、楽曲４と同じ楽曲ジャンルの楽曲１から楽曲３が探索され、楽曲４の楽曲データの特徴区間と同じ楽曲１から楽曲３の特徴区間に、同じ照明制御データが割り付けられるので、照明制御データを効率よく生成することができ、ＤＪパフォーマンスにおける照明演出設定を効率よく行うことができる。
なお、本実施形態では、照明制御データ生成用楽曲選択装置を、照明装置１３の照明制御データを生成するために用いていたが、本発明はこれに限られない。たとえば、照明制御データ生成装置を、さらに、炎やスモーク等のパイロトロニクスによる演出するための演出制御データを生成するために用いてもよい。
【符号の説明】
【００３２】
１…音響制御システム、２…デジタルプレーヤー、２Ａ…ジョグダイヤル、３…ミキサー、３Ａ…操作スイッチ、３Ｂ…音量調整レバー、３Ｃ…左右切替レバー、４…コンピュータ、５…スピーカー、６、７、９、１１…ケーブル、８…アナログケーブル、１０…照明システム、１２…コンピュータ、１３…照明装置、１３Ａ…照明器具、１３Ｂ…照明制御信号、１４…演算処理装置、１５…記憶装置、１６…楽曲構造解析部、１７…展開情報出力部、１８…演算処理装置、１９…展開情報取得部、２０…特徴区間種類判定部、２１…楽曲付加情報取得部、２２…付加情報テーブル、２３…楽曲データ選択部、２４…楽曲データ探索部、２５…特徴区間抽出部、２６…表示情報生成部、２７…照明制御データ生成部、２８…照明制御部。
【図１】
0006633753.tif 000002
【図２】
0006633753.tif 000003
【図３】
0006633753.tif 000004
【図４】
0006633753.tif 000005
【図５】
0006633753.tif 000006
【図６】
0006633753.tif 000007
【図７】
0006633753.tif 000008